(57)【要約】【課題】虫の侵入が抑制された照明器具を提供する。【解決手段】本発明に係る照明器具１は、光源部１０と、開口部２０１を有し、基底部２００ａに光源部１０を有する有底筒状の器具本体２０と、第１開口端部３０１と第２開口端部３０２とを有する筒状の部材が、第１開口端部３０１は器具本体２０の内側に配置された反射部材３０と、第２開口端部３０２を塞ぐ透光部材４０と、第２開口端部３０２と透光部材４０との境界部を全周に亘って覆う第１環状部５１と、第１環状部５１から延伸し透光部材４０における第２開口端部３０２側の外縁部を全周に亘って覆う第２環状部５２と、自由端５３１を有し第１環状部５１から立設し器具本体２０の内壁に接する第３環状部５３とを有するシール部材５０とを備える。【選択図】図１
2017174627.tif 000002
【特許請求の範囲】
【請求項１】
光源部と、
開口部を有し、基底部に前記光源部を有する有底筒状の器具本体と、
第１開口端部と第２開口端部とを有する筒状の部材が、前記第１開口端部は前記器具本体の内側に配置された反射部材と、
前記第２開口端部を塞ぐ透光部材と、
前記第２開口端部と前記透光部材との境界部を全周に亘って覆う第１環状部と、前記第１環状部から延伸し前記透光部材における前記第２開口端部側の外縁部を全周に亘って覆う第２環状部と、自由端を有し前記第１環状部から立設し前記器具本体の内壁に接する第３環状部とを有するシール部材とを備える照明器具。
【請求項２】
前記第３環状部の前記自由端は、前記開口部に向いている請求項１に記載の照明器具。
【請求項３】
前記第３環状部の厚さは、前記第１環状部の厚さよりも薄い請求項１または２に記載の照明器具。
【請求項４】
前記シール部材は複数の前記第３環状部が設けられている請求項１〜３のいずれか１項に記載の照明器具。
【請求項５】
前記シール部材は、弾性部材である請求項１〜４のいずれか１項に照明器具。
【発明の詳細な説明】
【技術分野】
【０００１】
本発明は、照明器具に関する。
【背景技術】
【０００２】
従来、照明器具として、例えばダウンライトのように下方に光を照射する照明器具が知られている（例えば、特許文献１）。
【０００３】
この種の照明器具は、器具本体に固定された光源部と、器具本体の外部に設置され、光源部を点灯させるための電源部と、光源部と電源部とを電気的に接続するための電力線とを備えている。
【０００４】
特許文献１に開示された照明器具は、ＬＥＤ（Ｌｉｇｈｔ  Ｅｍｉｔｔｉｎｇ  Ｄｉｏｄｅ）からなる光源と、光源から出射された光を内面の反射面で所定の方向へ反射させて出射する反射部材と、光源および反射部材を支持する器具本体とを備える。さらに、反射部材は、係止爪を有し、出射口を塞ぐように透光性材料で形成されたレンズ部材を係止爪によって係止することにより固定する。このような構成にすることにより、光源を器具本体と反射部材とレンズ部材で囲むように配置することが容易になる。
【先行技術文献】
【特許文献】
【０００５】
【特許文献１】特開２０１５−０８８３４９号公報
【発明の概要】
【発明が解決しようとする課題】
【０００６】
しかしながら、反射部材と器具本体の間や、反射部材とレンズ部材とを固定する係止爪の部分などに生じる隙間から光源部周辺に虫が侵入する場合がある。
【０００７】
本発明は、このような課題を解決するためにされたものであり、光源周辺に虫が侵入することを抑制できる照明器具を提供することを目的とする。
【課題を解決するための手段】
【０００８】
上記目的を達成するために、本発明に係る照明器具の一態様は、光源部と、開口部を有し、基底部に前記光源部を有する有底筒状の器具本体と、第１開口端部と第２開口端部とを有する筒状の部材が、前記第１開口端部は前記器具本体の内側に配置された反射部材と、前記第２開口端部を塞ぐ透光部材と、前記第２開口端部と前記透光部材との境界部を全周に亘って覆う第１環状部と、前記第１環状部から延伸し前記透光部材における前記第２開口端部側の外縁部を全周に亘って覆う第２環状部と、自由端を有し前記第１環状部から立設し前記器具本体の内壁に接する第３環状部とを有するシール部材とを備えることを特徴とする。
【発明の効果】
【０００９】
本発明によれば、光源周辺に虫が侵入することを抑制できる照明器具を提供することができる。
【図面の簡単な説明】
【００１０】
【図１】図１は、本発明の実施の形態に係る照明器具の外観斜視図である。
【図２】図２は、本発明の実施の形態に係る照明器具の分解斜視図である。
【図３】図３は、本発明の実施の形態に係る照明器具の断面図である。
【図４】図４は、本発明の実施の形態に係る照明器具の断面図の要部拡大図である。
【図５】図５は、比較例に係る照明器具の断面図である。
【発明を実施するための形態】
【００１１】
以下、本発明の実施の形態について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態、並びに、ステップ（工程）及びステップの順序などは、一例であって本発明を限定する主旨ではない。よって、以下の実施の形態における構成要素のうち、本発明の最上位概念を示す独立請求項に記載されていない構成要素については、任意の構成要素として説明される。
【００１２】
なお、各図は、模式図であり、必ずしも厳密に図示されたものではない。また、各図において、実質的に同一の構成に対しては同一の符号を付しており、重複する説明は省略又は簡略化する。
【００１３】
（実施の形態）
まず、本発明の実施の形態に係る照明器具１の構成について、図１〜３を用いて説明する。なお、各図において、光軸Ｊに平行な方向をＺ軸方向、光軸Ｊに垂直で互いに直交する２つの方向をＸ軸方向及びＹ軸方向としている。本実施の形態において、Ｚ軸方向は、鉛直方向である。
【００１４】
照明器具１は、光源部１０と、器具本体２０と、反射部材３０と、透光部材４０と、シール部材５０とを備える。以下、照明器具１の各構成要素について説明する。
【００１５】
［光源部］
光源部１０は、照明器具１の光源である。本実施の形態において、光源部１０は、ＬＥＤを有する発光モジュールである。光源部１０は、例えば、白色光を放出する。
【００１６】
図２に示すように、光源部１０は、ＣＯＢ（Ｃｈｉｐ  Ｏｎ  Ｂｏａｒｄ）構造であり、基板１００と、発光部１０１とから構成されている。
【００１７】
基板１００は、複数のＬＥＤを実装するための実装基板であって、例えば、セラミックス基板、樹脂基板又は絶縁被覆されたメタルベース基板等である。なお、基板１００には、ＬＥＤを発光させるための直流電流を外部から受電するための一対の電極端子（正電極端子と負電極端子）が形成されている。
【００１８】
発光部１０１は、基板１００に実装された複数のＬＥＤと、複数のＬＥＤを封止する封止部材とからなる。ＬＥＤは、本実施の形態では、青色光を発するベアチップである。なお、ＬＥＤは基板１００上に少なくとも１つ配置されていればよい。
【００１９】
封止部材としては、例えば、透光性樹脂が用いられる。本実施の形態における封止部材は、ＬＥＤからの光を波長変換する波長変換材として蛍光体を含んでいる。
【００２０】
本実施の形態では、光源部１０からは、発光部１０１のＬＥＤから発せられた光（青色光）と、その光により励起された蛍光体から発せられた蛍光（黄色光）とが合成された光（白色光）が放射される。
【００２１】
なお、本実施の形態では、封止部材は全てのＬＥＤを一括に封止しているがこれに限ら
ない。例えば、複数のＬＥＤを列ごとにライン状に封止してもよいし、各ＬＥＤをそれぞれ１つずつ個別に封止してもよい。
【００２２】
［器具本体］
器具本体２０は、有底筒状の照明器具１の本体である。本実施の形態では、器具本体２０は、放熱フィン２０２を有する基底部２００ａ及び開口部２０１を有する筒状部２００ｂを備える。
【００２３】
基底部２００ａは、光源部１０が取付けられる部分である。筒状部２００ｂは、基底部２００ａの周縁から立設した筒状の部分であり、光源部１０を囲む。
【００２４】
開口部２０１は、筒状部２００ｂのうち基底部２００ａとは反対方向の開放端を外縁として囲まれている。
【００２５】
複数の放熱フィン２０２は、光源部１０で発生する熱を放熱する部分である。放熱フィン２０２は、例えば板状であり、基底部２００ａの筒状部２００ｂが立設された面とは反対側の裏面に立設されている。
【００２６】
器具本体２０は、金属材料等の熱伝導率の高い材料によって構成されているとよい。器具本体２０は、例えば、アルミダイカスト製である。
【００２７】
［取付部材］
取付部材２１は、光源部１０を器具本体２０に取付けるための部材である。取付部材２１は、規制部２１０及び取付係止部２１１を備える。
【００２８】
規制部２１０は、光源部１０の光軸Ｊに垂直な方向（Ｘ軸方向及びＹ軸方向）の位置を規制する。規制部２１０は、中央に開口部２１２を有する矩形枠状の形状を有する。規制部２１０の中央に形成された開口部２１２は、光源部１０に対応する形状を有し、開口部２１２に光源部１０が配置される。取付部材２１は、器具本体２０の基底部２００ａに配置され、接続部材２２及びねじ２３によって、器具本体２０に固定される。
【００２９】
取付係止部２１１は、反射部材３０を支持する部分であり、反射部材３０の取付被係止部３０４を係止する。本実施の形態では、取付部材２１は、２つの取付係止部２１１を備える。取付係止部２１１は、略Ｌ字型の形状を有しており、取付係止部２１１の端部に設けられて光軸Ｊから離れる方向に突出した突起が、取付被係止部３０４に挿入されることによって、取付係止部２１１は取付被係止部３０４を係止する。
【００３０】
取付部材２１は、例えば、ポリブチレンテレフタレート（ＰＢＴ）、ポリカーボネート（ＰＣ）などの樹脂材料を用いて形成することができる。
【００３１】
［反射部材］
図３に示すように、反射部材３０は、第１開口端部３０１、第２開口端部３０２、内壁３０３及び立設部３０５を有し、内径および外径が第１開口端部３０１から第２開口端部３０２に向けて大きくなる筒形状である。
【００３２】
第１開口端部３０１は、光源部１０から発せられた光が反射部材３０に入射する側の端部である。第１開口端部３０１の外径は、器具本体２０の開口部２０１の内径よりも小さい。第１開口端部３０１は、器具本体２０の内側の基底部２００ａ側に配置される。
【００３３】
第２開口端部３０２は第１開口端部３０１から入射した光が透光部材４０に向けて出射
する側の端部である。第２開口端部３０２の内径及び外径は、それぞれ、第１開口端部３０１の内径及び外径よりも大きい。第２開口端部３０２は、器具本体２０の内側の開口部２０１側に配置される。
【００３４】
内壁３０３は、両端に第１開口端部３０１と第２開口端部３０２とを有し、第１開口端部３０１から第２開口端部３０２に向かって内径が漸次大きくなるように構成されている。
【００３５】
立設部３０５は、内壁３０３の光源部１０側に配置され、略光軸Ｊ方向（Ｚ軸方向）に立設されている。立設部３０５には、取付係止部２１１に係止される取付被係止部３０４が設けられている。本実施の形態においては、取付被係止部３０４は、立設部３０５に設けられた貫通孔である。
【００３６】
反射部材３０の第２開口端部３０２側の側部は、第２開口端部３０２に透光部材４０を係止する係止部３０６を有している。本実施の形態では、反射部材３０は、３つの係止部３０６を備える。係止部３０６は、例えば、第２開口端部３０２から矩形状に切欠きされたかれた形状の切欠部３０７と、切欠部３０７の略中心位置に反射部材３０から延出した略Ｌ字型の形状の引掛部３０８とからなる。引掛部３０８の端部に設けられて光軸Ｊに近づく方向に突出した突起が、被係止部４２の被引掛部４２２に引掛けられることによって、係止部３０６が被係止部４２を係止する。係止部３０６は、例えば切欠部３０７において隙間を有し、その隙間から虫が侵入することが想定される。
【００３７】
なお、内壁３０３の内面において、光源部１０から発せられた光の少なくとも一部が反射されてもよい。このような構成にすることにより、反射部材３０は、光源部１０から発せられた光を透光部材４０に向けて反射させる。
【００３８】
反射部材３０は、例えばＰＢＴ、ポリカーボネートなどの白色樹脂材料を用いて形成することができる。
【００３９】
［透光部材］
透光部材４０は、パネル４１と被係止部４２とを有し、光源部１０から出射された光が入射する透光性の部材である。透光部材４０は、光源部１０を覆うように配置される。具体的には、透光部材４０は、反射部材３０の第２開口端部３０２を塞ぐように設けられている。
【００４０】
パネル４１は、例えば、透光性を有する材料によって形成されている。具体的には、パネル４１は、ポリメタクリルサンメチル（ＰＭＭＡ）などのアクリル系樹脂や、ＰＣ等の透明樹脂材料又はガラス材料によって形成することができる。パネル４１は、例えばフレネルレンズであるが、これに限らない。
【００４１】
被係止部４２は、パネル４１の光源部１０側に配置され、透光部材立設部４２１と被引掛部４２２とからなる。透光部材立設部４２１は、略光軸Ｊ方向（Ｚ軸方向）に立設されている。透光部材立設部４２１には、引掛部３０８により引掛けられる被引掛部４２２が設けられている。本実施の形態においては、被引掛部４２２は、透光部材立設部４２１の光源部１０側端部に光軸Ｊから遠ざかる方向に立設した凸部である。このような構成にすることにより、係止部３０６が被係止部４２を係止する。係止部３０６に係止される被係止部４２の周辺においては、反射部材３０と透光部材４０との間に虫が侵入することが可能な隙間が発生する。
【００４２】
なお、パネル４１は、平板状の平面パネルであってもよいし、前方に向かって突出する
ように湾曲したドーム状であってもよい。また、パネル４１は、レンズを有することにより配光制御機能を有していてもよい。また、パネル４１の少なくとも一部に、ディンプル等を形成することによって光拡散性を有していてもよい。このような構成にすることにより、照明器具１から出射される光の照度ムラや色ムラを抑制することができる。
【００４３】
［シール部材］
図２及び図３に示すように、本実施の形態において、シール部材５０は、第１環状部５１と、第２環状部５２と、第３環状部５３とを備えている。
【００４４】
第１環状部５１は、第２開口端部３０２と透光部材４０との境界部を全周に亘って覆っている。このような構成とした第１環状部５１により、第２開口端部３０２と透光部材４０との境界部が塞がれるので、境界部から反射部材３０の内側への虫の侵入を防止することができる。
【００４５】
第２環状部５２は、第１環状部５１から延伸し透光部材４０における第２開口端部３０２側の外縁部を全周に亘って覆っている。本実施の形態では、シール部材５０と反射部材３０とは、第１環状部５１の一部において摩擦力や接着力等によって密着している。また、シール部材５０と透光部材４０とは、第２環状部５２において摩擦力や接着力等によって密着している。このような構成にすることにより、反射部材３０と透光部材４０とは、シール部材５０によって固定される。そのため、例えば、透光部材４０を鉛直下方になるよう照明器具１を配置している状態で、係止部３０６や被係止部４２が損傷を受けた場合でも、透光部材４０は落下せずにシール部材５０によって保持される。
【００４６】
また、本実施の形態において、第１環状部５１のうち第２環状部５２が延伸している端と反対側の端部５４は、第２環状部５２と対向するようになっている。このような構成にすることにより、シール部材５０は反射部材３０と透光部材４０とを挟み込む構造となる。このような構造により、反射部材３０と透光部材４０とは分離しにくくなる。
【００４７】
第３環状部５３は、第１環状部５１から光軸Ｊから遠ざかる方向に向かって立設し、自由端５３１を有しており、器具本体２０に接している。なお、第３環状部５３の全周に亘って器具本体２０に接していることが好ましい。このような構成にすることにより、反射部材３０と器具本体２０との間の隙間を第３環状部５３によって塞ぎ、虫の侵入を防止することができる。
【００４８】
また、本実施の形態では、第３環状部５３のうち自由端５３１が器具本体２０の筒状部２００ｂ内壁に接している。このような構成にすることにより、第３環状部５３は、効率的に反射部材３０と器具本体２０との間の隙間を塞ぐことができる。
【００４９】
また、本実施の形態では、第３環状部５３は、第１環状部５１と接している部分から、器具本体２０の筒状部２００ｂおよび開口部２０１に向かう方向に傾斜して突出し、第３環状部５３の自由端５３１は、開口部２０１に向いていることが好ましい。このような構成にすることにより、反射部材３０と透光部材４０とシール部材５０とを組み上げた後に、反射部材３０と透光部材４０とシール部材５０とを器具本体２０に開口部２０１側から挿入することで組み上げた場合でも、第３環状部５３は効率的に反射部材３０と器具本体２０との間の隙間を塞ぐことができる。つまり、このような組み立てのプロセスにおいて、第３環状部５３には、自由端５３１が開口部２０１に向かう摩擦力がかかる。この摩擦力がかかる方向に自由端５３１が位置するために、第３環状部５３においてひだやめくれが発生せず、効率的に反射部材３０と器具本体２０との間の隙間を塞ぐことができる。
【００５０】
また、本実施の形態では、第３環状部５３の厚さは、第１環状部５１の厚さに比べて薄
いことが好ましい。このような構成にすることにより、第３環状部５３は弾性が高くなる。反射部材３０と透光部材４０とシール部材５０とを組み上げた後に、反射部材３０と透光部材４０とシール部材５０とを器具本体２０に開口部２０１側から挿入することで組み上げた場合において、反射部材３０と器具本体２０との間の隙間をよりスムーズに第３環状部５３によって埋めることができる。
【００５１】
また、本実施の形態では、シール部材５０は、弾性を有する弾性部材であることが好ましい。具体的には、シール部材は、シリコンゴムなどによって形成することができる。このような構成にすることにより、シール部材５０と、器具本体２０、透光部材４０および反射部材３０との密着性があがり、隙間が減少するので虫の侵入をより効果的に抑制できる。また、シール部材５０と、器具本体２０および透光部材４０との密着性があがることにより、器具本体２０と透光部材４０とがより分離しにくくなる。
【００５２】
なお、シール部材５０は、光軸Ｊ方向に沿って複数の第３環状部５３が設けられていてもよい。このような構成にすることにより、反射部材３０と器具本体２０との間の隙間を確実に埋めることができ虫の侵入をより効果的に抑制することができる。
【００５３】
（比較例）
次に比較例について図４を用いて説明する。
【００５４】
本比較例における照明器具１Ａは、上記実施の形態に記載の照明器具１のうちシール部材５０を有しない以外は、同様の構成である。
【００５５】
図４に示すように、照明器具１Ａにおいては、係止部３０６に虫が侵入可能な空間がある。虫は、破線矢印で示される経路のように、光源部１０の光におびき寄せられて、透光部材４０のパネル４１の外径と、器具本体２０の筒状部２００ｂ内径との隙間を通過する。通過した虫は、係止部３０６の隙間から反射部材３０と透光部材４０とで囲まれた空間に侵入する。
【００５６】
また、図４に示すように、照明器具１Ａにおいては、器具本体２０及び取付部材２１と反射部材３０との間に隙間がある。虫は、一点鎖線矢印で示される経路のように、光源部１０の光におびき寄せられて透光部材４０のパネル４１の外径と器具本体２０の筒状部２００ｂ内径との隙間を通過する。通過した虫は、器具本体２０及び取付部材２１と反射部材３０との間に生じる隙間から反射部材３０と透光部材４０とで囲まれた空間に侵入する。
【００５７】
上記のような経路で反射部材３０と透光部材４０とで囲まれた空間に侵入した虫は光源部１０周辺に集まった後、死骸となって透光部材４０のパネル４１上に付着する。虫の死骸が付着することで、光源部１０が点灯した際に、特に、照明器具１Ａの外観が損なわれる。
【００５８】
（評価）
上記の比較例において、照明器具１Ａ内の複数の隙間から虫が侵入することによって、照明器具１Ａの外観が損なわれる。
【００５９】
一方で、上記の実施の形態においては、上記の比較例のうち、図４に示す係止部３０６の隙間をシール部材５０の第１環状部５１によって塞ぐことにより、虫の侵入を抑制することができる。また、図４に示す透光部材４０のパネル４１の外径と器具本体２０の筒状部２００ｂ内径との隙間をシール部材５０の第３環状部５３によって塞ぐことにより、虫の侵入を抑制することができる。
【００６０】
本実施の形態において、照明器具１は、光源部１０と、開口部２０１を有し、基底部２００ａに光源部１０を有する有底筒状の器具本体２０と、第１開口端部３０１と第２開口端部３０２とを有する筒状の部材が、第１開口端部３０１は器具本体２０の内側に配置された反射部材３０と、第２開口端部３０２を塞ぐ透光部材４０と、第２開口端部３０２と透光部材４０との境界部を全周に亘って覆う第１環状部５１と、第１環状部５１から延伸し透光部材４０における第２開口端部３０２側の外縁部を全周に亘って覆う第２環状部５２と、自由端５３１を有し第１環状部５１から立設し器具本体２０の内壁に接する第３環状部５３とを有するシール部材５０と、を備える。
【００６１】
このような構成にすることにより、第１環状部５１により、第２開口端部３０２と透光部材４０との境界部が塞がれるので、境界部から反射部材３０の内側への虫の侵入を防止することができる。さらに、例えば、透光部材４０を鉛直下方になるよう照明器具１を配置している状態で、係止部３０６や被係止部４２が損傷を受けた場合でも、透光部材４０は落下せずにシール部材５０によって保持される。そのため、例えば、透光部材４０を鉛直下方になるよう照明器具１を配置している状態で、係止部３０６や被係止部４２が損傷を受けた場合でも、透光部材４０は落下せずにシール部材５０によって保持される。
【００６２】
（その他）
以上、本発明に係る発光装置について、実施の形態及び変形例に基づいて説明したが、本発明は、上記実施の形態に限定されるものではない。
【００６３】
例えば、上記実施の形態において、光源部１０はＣＯＢ型ＬＥＤを用いたが、他の発光素子を用いてもよい。例えば、ＳＭＤ（Ｓｕｒｆａｃｅ  Ｍｏｕｎｔ  Ｄｅｖｉｃｅ）型ＬＥＤを用いてもよい。また、有機ＥＬ（Ｅｌｅｃｔｒｏ  Ｌｕｍｉｎｅｓｃｅｎｃｅ）素子や半導体レーザなど他の固体発光素子、又は固体発光素子以外の光源を用いてもよい。
【００６４】
また、上記実施の形態において、光源部１０は青色ＬＥＤのベアチップを用いた白色光源を用いたが、光源部１０からの発光は、青色、緑色、赤色等の単色の可視光であってもよい。
【００６５】
また、上記実施の形態において、シール部材５０は弾性部材でなくてもよい。例えば、シール部材５０を弾性のある熱硬化性樹脂もしくは、光硬化性樹脂等で作成して器具本体２０と反射部材３０の間に設置した後に、熱もしくは光によって硬化させる等の工程を経たような部材でもよい。硬化性樹脂としては、例えば、ラジカル重合をするアクリル系樹脂を用いることができる。また、弾性の小さい材料によって形成されていてもよい。
【００６６】
また、シール部材５０の厚みは、例えば１ｍｍ程度で略一定であってもよい。
【００６７】
また、反射部材３０と透光部材４０とを係止する係止部は透光部材４０に形成され、反射部材３０と透光部材４０とを係止する被係止部は、反射部材３０に形成されていてもよい。この場合も、第１環状部５１は、第２開口端部３０２と透光部材４０との境界部を全周に亘って覆うように構成すればよい。
【００６８】
その他、実施の形態に対して当業者が思いつく各種変形を施して得られる形態や、本発明の趣旨を逸脱しない範囲で実施の形態における構成要素及び機能を任意に組み合わせることで実現される形態も本発明に含まれる。
【符号の説明】
【００６９】
１  照明器具
１０  光源部
２０  器具本体
２００ａ  基底部
２０１  開口部
３０  反射部材
３０１  第１開口端部
３０２  第２開口端部
４０  透光部材
５０  シール部材
５１  第１環状部
５２  第２環状部
５３  第３環状部
５３１  自由端
【図１】
2017174627.tif 000003
【図２】
2017174627.tif 000004
【図３】
2017174627.tif 000005
【図４】
2017174627.tif 000006
【図５】
2017174627.tif 000007